(57)【特許請求の範囲】
【請求項１】
複数の入賞通路と、該入賞通路に対応して設けられ該入賞通路を開閉する開閉翼とを有し、遊技球が始動入賞口に入球することにより前記開閉翼を開作動させ、前記入賞通路に遊技球が入球したときに賞球の払出しを行う入賞装置を備えるパチンコ機であって、
前記賞球の数は前記入賞通路毎に異なっており、
前記始動入賞口は前記入賞通路毎に対応してそれぞれ設けられ、遊技球が入球した始動入賞口に対応する開閉翼が開作動することを特徴とするパチンコ機。
【請求項２】
前記開閉翼は入賞装置の左右両側に設けられることを特徴とする請求項１に記載のパチンコ機。
【請求項３】
前記入賞装置の左右両側における開閉翼の配置数が同等であることを特徴とする請求項２に記載のパチンコ機。
【請求項４】
前記入賞装置の左右両側における開閉翼の配置数が異なることを特徴とする請求項２に記載のパチンコ機。
【発明の詳細な説明】
【０００１】
【発明の属する技術分野】
本発明はパチンコ機に関するものである。
【０００２】
【従来の技術】
従来のパチンコ機の一例として、入賞装置に複数の入賞通路と、この入賞通路に対応して配置される開閉翼とを有し、遊技球が始動入賞口に入球した際に開閉翼を開作動して入賞通路を開け、入賞通路への遊技球の入賞を可能とする入賞装置を備えたものがある。
このパチンコ機では、開閉翼が開作動し、入賞通路に遊技球が入球すると予め定められた一定数の賞球を払出すようにしている。
【０００３】
【発明が解決しようとする課題】
ところで、パチンコ機では限られた遊技領域において遊技に変化を持たせて遊技性の向上を図ることが望まれている。しかしながら、上述した従来技術では、開閉翼を複数枚備え、その分、入賞装置が大きくなっているが、遊技球が始動入賞口に入球して開閉翼が開き、この開閉翼を通して対応する入賞通路に入球した際に、払出される賞球数はいずれの開閉翼が開いても同一であり、遊技性が乏しいものであった。
【０００４】
本発明は、上記事情に鑑みてなされたもので、遊技性の向上を図ることができるパチンコ機を提供することを目的とする。
【０００５】
【課題を解決するための手段】
請求項１記載のパチンコ機の発明は、複数の入賞通路と、該入賞通路に対応して設けられ該入賞通路を開閉する開閉翼とを有し、遊技球が始動入賞口に入球することにより前記開閉翼を開作動させ、前記入賞通路に遊技球が入球したときに賞球の払出しを行う入賞装置を備えるパチンコ機であって、前記賞球の数は前記入賞通路毎に異なっており、前記始動入賞口は前記入賞通路毎に対応してそれぞれ設けられ、遊技球が入球した始動入賞口に対応する開閉翼が開作動することを特徴とする。
【０００６】
請求項２記載の発明は、請求項１記載の構成において、前記開閉翼は入賞装置の左右両側に設けられることを特徴とする。
【０００７】
請求項３記載の発明は、請求項２に記載の構成において、前記入賞装置の左右両側における開閉翼の配置数が同等であることを特徴とする。請求項４記載の発明は、請求項２に記載の構成において、前記入賞装置の左右両側における開閉翼の配置数が異なることを特徴とする。
【０００８】
【発明の実施の形態】
本発明の第１実施の形態に係るパチンコ機を図１及び図２に基づいて説明する。
図１において、パチンコ機１の遊技盤２の前面には、誘導レール３が円形状に設けられており、内側に遊技領域４を形成している。誘導レール３は、図示しない発射機構により打ち出された遊技球を遊技盤２の左側上部から前記遊技領域４へ送り出すようにしている。
【０００９】
遊技盤２の遊技領域４の中央部には、可変入賞装置５（入賞装置）が設けられている。また、遊技領域４の下側部分には、３つの第２種始動口が横方向に並んで設けられている。以下、３つの第２種始動口（以下、単に始動口という）のうち左側のものを左側始動口６、右側のものを右側始動口７といい、中央のものを中央始動口８という。さらに、遊技領域４には、風車９及び図示しない釘などの遊技用部材１０が複数設けられている。
左側始動口６、右側始動口７、中央始動口８には、それぞれに遊技球が入賞するとオン作動するスイッチ（それぞれに対応して、以下、左側始動口用スイッチ６ａ、右側始動口用スイッチ７ａ、中央始動口用スイッチ８ａという。）が設けられている。
【００１０】
可変入賞装置５は、プレート１１を備え、このプレート１１を遊技盤２に重ね合わせ、ビスなどの固定部材(図示省略)を用いて遊技盤２に着脱自在に固定されている。プレート１１には、図示しないガラス板に略達する高さの２枚の板（図１左側の板を第１支持板１２といい、右側の板を第２支持板１３という。）が所定距離空けて上下方向に延びるように並設されている。
【００１１】
第１支持板１２及び第２支持板１３の一端部（図１上側の端部）に搭載されるように、図柄表示装置のセンター役物上部デジタル（表示器）１４が設けられている。
【００１２】
第１支持板１２の一端部（図１上側の端部）側の先端部（図示しないガラス板側、図１紙面表側）には、切欠部（左側切欠部）１５が形成されている。また、第２支持板１３の一端部（図１上側の端部）側の先端部（図示しないガラス板側）における前記左側切欠部１５と略同等高さの部分には、切欠部（以下、右側切欠部という。）１７が形成されている。
第１支持板１２の左側切欠部１５及び第２支持板１３の右側切欠部１７には、それぞれ支持軸(図示省略)が設けられている。
【００１３】
左側切欠部１５及び右側切欠部１７に設けられる各支持軸には、ソレノイドなどの後述するアクチュエータに駆動される同等形状の開閉翼が回動可能に設けられている。左側切欠部１５に対応する開閉翼を左側開閉翼２０といい、第２支持板１３の右側切欠部１７に対応する開閉翼を右側開閉翼２２という。
【００１４】
左側開閉翼２０に対応して第１支持板１２には入賞通路である大入賞口（以下、左側大入賞口という。）２０ａが設けられている。また、右側開閉翼２２に対応して第２支持板１３には入賞通路である大入賞口（以下、右側大入賞口という。）２２ａが設けられている。
【００１５】
左側大入賞口２０ａ及び右側大入賞口２２ａには、それぞれカウントスイッチが設けられている。左側大入賞口２０ａに対応するカウントスイッチを左側カウントスイッチ２０ｂといい、右側大入賞口２２ａに対応するカウントスイッチを右側カウントスイッチ２２ｂという。左側カウントスイッチ２０ｂは、遊技球が左側大入賞口２０ａを通過することを検出し、右側カウントスイッチ２２ｂは、遊技球が右側大入賞口２２ａを通過することを検出するようにしている。
【００１６】
左側開閉翼２０及び右側開閉翼２２は、それぞれ常時は略立ち上がった状態（左側大入賞口２０ａ及び右側大入賞口２２ａをそれぞれ閉じた状態）にされて遊技球が可変入賞装置５の内側領域（第１支持板１２及び第２支持板１３などにより囲まれた領域）に入り込むことを抑えるようにしている。左側開閉翼２０は、アクチュエータ（大入賞口開閉装置）に駆動されて、図１に示すように横臥した状態（左側大入賞口２０ａを開いた状態）にされ、遊技球を左側大入賞口２０ａへ案内し、特定入賞口（Ｖゾーン３０）への入賞を期待できるものにしている。右側開閉翼２２も、同様に、アクチュエータ（大入賞口開閉装置）に駆動されて、図１に示すように横臥した状態（右側大入賞口２２ａを開いた状態）にされ、遊技球を右側大入賞口２２ａへ案内し、Ｖゾーン３０への入賞を期待できるものにしている。
以下、左側開閉翼２０を駆動するアクチュエータを左側アクチュエータ２０ｃといい、右側開閉翼２２を駆動するアクチュエータを右側アクチュエータ２２ｃという。
【００１７】
可変入賞装置５は、その下部側（第１、第２支持板１２，１３の下側端部側）に特定入賞口（Ｖゾーン３０）を備えている。Ｖゾーン３０に隣接してその左右に２つの図示しない普通入賞口が設けられている。
Ｖゾーン３０には、特定入賞口スイッチ３０ａが設けられており、当該Ｖゾーン３０を遊技球が通過することを検出するようにしている。
【００１８】
可変入賞装置５における左側開閉翼２０及び右側開閉翼２２の下側には、円柱物３２ａの側部に板３２ｂを腕状に延設した形状の誘導物３２が、円柱物３２ａの一端部をプレート１１に接合し、両板３２ｂを左右に延ばして設けられている。
板３２ｂと図示しないガラス板との間には、遊技球を通過し得る空間部（符号省略）が形成されている。
【００１９】
誘導物３２の上側における左側開閉翼２０及び右側開閉翼２２と略同等の高さ位置には、左側開閉翼２０から右側開閉翼２２まで略延びるように誘導板３４が配置されている。誘導板３４の一部（例えば右側開閉翼２２側におけるガラス板側部分）には、図示しない切欠が形成されており、この切欠を通して遊技球が通過し得るようになっている。
【００２０】
左側開閉翼２０が開いて左側大入賞口２０ａが開放され、当該左側大入賞口２０ａから遊技球が入る（入賞する）と、このことを左側カウントスイッチ２０ｂが検出する。この左側カウントスイッチ２０ｂの検出作動に応じて後述するように主制御部（ＣＰＵ）４０は図示しない賞球払出部を制御して１５個の賞球を払い出させるようにしている。
また、右側開閉翼２２が開いて右側大入賞口２２ａが開放され、当該右側大入賞口２２ａから遊技球が入る（入賞する）と、このことを右側カウントスイッチ２２ｂが検出する。この右側カウントスイッチ２２ｂの検出作動に応じて後述するように主制御部４０は賞球払出部を制御して１０個の賞球を払い出させるようにしている。
【００２１】
左側開閉翼２０または右側開閉翼２２を通して入賞した遊技球は、誘導物３２による誘導などによりＶゾーン３０または普通入賞口に入賞可能である。そして、遊技球がＶゾーン３０に入賞すると大当りとなる。大当りとなると、センター役物上部デジタル（表示器）１４の表示が変動し、○又は×の表示を行い、その表示が○であった場合は、左側開閉翼２０（賞球数が１５個）の開放を行い、その表示が×であった場合は、右側開閉翼２２（賞球数が１０個）の開放を行う。
【００２２】
図２に示すように、左側始動口用スイッチ６ａ、右側始動口用スイッチ７ａ、中央始動口用スイッチ８ａ、左側カウントスイッチ２０ｂ、右側カウントスイッチ２２ｂ等には、入力ポート４１を介して主制御部４０（ＣＰＵ）が接続されている。
主制御部４０には、出力ポート４２を介して左側アクチュエータ２０ｃ（大入賞口開閉装置）、右側アクチュエータ２２ｃ（大入賞口開閉装置）及び開閉翼開放判定表示装置４３等が接続されている。開閉翼開放判定表示装置４３は、左側開閉翼２０または右側開閉翼２２が開作動される場合、このことを表示するようにしている。
主制御部４０は、遊技用の制御プログラムを格納するＲＯＭ４４を有し、前記制御プログラムに従って演算制御を行って各部に遊技動作を行わせるようにしている。主制御部４０は、さらに前記演算制御時の作業エリアとして用いられるＲＡＭ４５を含んでいる。
【００２３】
主制御部４０は、左側始動口用スイッチ６ａ、右側始動口用スイッチ７ａ、中央始動口用スイッチ８ａのオン作動に対して、次の（１）〜（３）のようにアクチュエータ（左側アクチュエータ２０ｃ、右側アクチュエータ２２ｃ）を制御して開閉翼（左側開閉翼２０及び右側開閉翼２２）が開作動するように駆動させるようにしている。
【００２４】
（１）左側始動口用スイッチ６ａがオンする（遊技球が左側始動口６に入賞する）と、左側アクチュエータ２０ｃは左側開閉翼２０を駆動して１回開ける。
（２）右側始動口用スイッチ７ａがオンする（遊技球が右側始動口７に入賞する）と、右側アクチュエータ２２ｃは右側開閉翼２２を駆動して１回開ける。
（３）中央始動口用スイッチ８ａがオンする（遊技球が中央始動口８に入賞する）と、左側アクチュエータ２０ｃ及び右側アクチュエータ２２ｃは左側開閉翼２０及び右側開閉翼２２を駆動して、各１回計２回、開ける。
【００２５】
上述した（１）〜（３）において、左側開閉翼２０の開放により遊技球が左側大入賞口２０ａに入球し、このこと（遊技球が左側大入賞口２０ａに入球したこと）を左側カウントスイッチ２０ｂが検出すると１５個の賞球が払い出される。右側開閉翼２２の開放により遊技球が右側大入賞口２２ａに入球し、このこと（遊技球が右側大入賞口２２ａに入球したこと）を右側カウントスイッチ２２ｂが検出すると１０個の賞球が払い出される。
【００２６】
また、上述した（１）〜（３）において、左側開閉翼２０または右側開閉翼２２が開き、その際に、遊技球がＶゾーン３０に入賞すると大当りとなる。
【００２７】
上述したように構成したパチンコ機１では、遊技球が左側始動口６へ入賞した場合は、前記（１）に示すように左側開閉翼２０が開放され、その際に左側カウントスイッチ２０ｂが遊技球の通過を検出すると１５個の賞球を払い出すことになる。また、右側始動口７へ入賞した場合は、前記（２）に示すように右側開閉翼２２が開放され、その際に右側カウントスイッチ２２ｂが遊技球の通過を検出すると１０個の賞球を払い出すことになる。
【００２８】
前記左側始動口６または右側始動口７への入賞に対し、それぞれに対応して左側開閉翼２０または右側開閉翼２２が開作動し、その際に左側開閉翼２０または右側開閉翼２２を通して入賞が行われた場合には、賞球の払出が行われるが、その賞球数は開作動される左側開閉翼２０（１５個の賞球）及び右側開閉翼２２（１０個の賞球）で異なったものになっている。このように左側開閉翼２０及び右側開閉翼２２のいずれが開作動したかにより、遊技者が得られる賞球数が異なっていることから、その分、遊技内容がバラエティに富むものとなり、遊技性の向上を図ることができる。
【００２９】
また、前記（３）に示すように、中央始動口用スイッチ８ａがオンする（遊技球が中央始動口８に入賞する）と、左側開閉翼２０及び右側開閉翼２２が各１回計２回、開けられるので、左側開閉翼２０及び右側開閉翼２２のいずれかが開作動した場合に払出を期待できる賞球数と異なる数の賞球の払出しが期待され、その分、さらに遊技内容を多様化でき、遊技性の向上を図ることができる。
【００３０】
また、上述したように左側開閉翼２０または右側開閉翼２２が開作動時に遊技球がＶゾーン３０に入賞すると大当りとなるが、大当りとなると、センター役物上部デジタル（表示器）１４が変動表示を開始し、○又は×の表示を行い、停止表示が○であった場合は、左側開閉翼２０（賞球数が１５個）の開放を行い、停止表示が×であった場合は、右側開閉翼２２（賞球数が１０個）の開放を行うので、停止表示が○であるか又は×であるかにより異なる数の賞球が期待されることになる。このため、大当り時の獲得遊技球数に差を出すことが可能となり、その分、遊技性の向上を図ることができる。
【００３１】
なお、一般的な２種のパチンコ機において、大当り時の獲得遊技球数に差をつけようとする場合、偶発的なパンクの発生や、デジタル〔センター役物上部デジタル（表示器）１４に相当する〕により大当りラウンド数の抽選をするなどの方法しかなく、遊技内容の多様化を図る上で一定の制約を受けるものになっていた。
これに対し、本実施の形態では、上述したように遊技球がＶゾーン３０に入賞し大当りとなった場合、センター役物上部デジタル（表示器）１４の停止表示が○であるか又は×であるかにより異なる数の賞球が期待されることになる。このため、本実施の形態では、ラウンド数の変更や、偶発的なパンクによることなく、すなわち、従来技術で起こり得た遊技内容の多様化を図る上での制約が回避された状態で、大当り時の獲得遊技球数に差を出すことが可能となり、遊技性の向上を図ることができる。
【００３２】
上記第１実施の形態に代えて、アクチュエータ（左側アクチュエータ２０ｃ及び右側アクチュエータ２２ｃ）を次の（１ａ），（２ａ），（３ａ）のように制御するように構成（第２実施の形態）してもよい。この場合、左側開閉翼２０の開放により左側カウントスイッチ２０ｂが遊技球の通過を検出すると１５個の賞球を払い出し、右側開閉翼２２の開放により右側カウントスイッチ２２ｂが遊技球の通過を検出すると１０個の賞球を払い出すようにしている。
【００３３】
（１ａ）左側始動口用スイッチ６ａがオンする（遊技球が左側始動口６に入賞する）と、右側アクチュエータ２２ｃは右側開閉翼２２を駆動して１回開かせる。
（２ａ）右側始動口用スイッチ７ａがオンする（遊技球が右側始動口７に入賞する）と、右側アクチュエータ２２ｃは右側開閉翼２２を駆動して１回開かせる。
（３ａ）中央始動口用スイッチ８ａがオンする（遊技球が中央始動口８に入賞する）と、左側アクチュエータ２０ｃは左側開閉翼２０を駆動して、１回開かせる。
【００３４】
なお、上述した（１ａ）〜（３ａ）において、左側開閉翼２０または右側開閉翼２２が開き、その際に、遊技球がＶゾーン３０に入賞すると大当りとなる。
そして、左側始動口用スイッチ６ａまたは右側始動口用スイッチ７ａがオンした際に、遊技球がＶゾーン３０に入賞して大当りとなった場合、大当り中に払出される賞球数は１０個とする。また、中央始動口用スイッチ８ａがオンした際に、遊技球がＶゾーン３０に入賞して大当りとなった場合、大当り中に払出される賞球数は１５個とし、左側始動口用スイッチ６ａまたは右側始動口用スイッチ７ａがオンした際の大当りにより得られる出玉（獲得出玉）を多くするようにしている。
【００３５】
上述したように構成した第２実施の形態では、左側始動口６または右側始動口７へ入賞した場合は、前記（１ａ）又は（２ａ）に示すように右側開閉翼２２が開放され、その際に右側カウントスイッチ２２ｂが遊技球の通過を検出すると１０個の賞球を払い出すことになる。また、左側開閉翼２０の開放により左側カウントスイッチ２０ｂが遊技球の通過を検出すると１５個の賞球を払い出すことになる。
【００３６】
前記左側始動口６（または右側始動口７）へ入賞するかまたは中央始動口８へ入賞すると、それぞれに対応して右側開閉翼２２または左側開閉翼２０が開作動し、その際に右側開閉翼２２または左側開閉翼２０を通して入賞があった場合には、賞球の払出が行われるが、その賞球数は開作動される右側開閉翼２２及び左側開閉翼２０で異なったものになっている。このように右側開閉翼２２及び左側開閉翼２０のいずれが開作動したかにより、遊技者が得られる賞球数が異なっていることから、その分、遊技内容に変化をもたせることができ、遊技性の向上を図ることができる。
【００３７】
また、左側始動口用スイッチ６ａまたは右側始動口用スイッチ７ａがオンした際に大当り（Ｖゾーン３０への入賞）となった場合、大当り中に払出される賞球数は１０個とする一方、中央始動口用スイッチ８ａがオンした際に大当りとなった場合、大当り中に払出される賞球数は１５個としており、同じ大当りでも左側始動口用スイッチ６ａまたは右側始動口用スイッチ７ａがオンしたことに基づいて生じる場合と、中央始動口用スイッチ８ａがオンしたことに基づいて生じる場合とで、獲得出玉が異なるようにしている。このため、大当り時における獲得遊技球数が異なるものとなり、遊技の幅がその分広いものになる。
【００３８】
上記実施の形態では、可変入賞装置５の左右両側に２枚の開閉翼（左側開閉翼２０または右側開閉翼２２）を設けた場合を例にしたが、本発明はこれに限らず、開閉翼を３枚または４枚以上設けるように構成してもよい。また、例えば図３に示すように、可変入賞装置５の左側に２枚の開閉翼（左側開閉翼２０及び左側第２開閉翼２１）を設け、右側に１枚の開閉翼（右側開閉翼２２）を設ける（第３実施の形態）ようにしてもよい。
【００３９】
この第３実施の形態では、左側開閉翼２０の開放により左側カウントスイッチ２０ｂが遊技球の通過を検出すると５個の賞球を払い出し、右側開閉翼２２の開放により右側カウントスイッチ２２ｂが遊技球の通過を検出すると１０個の賞球を払い出し、左側第２開閉翼２１の開放により左側第２開閉翼２１に対応して設けられる左側第２カウントスイッチ２１ｂが遊技球の通過を検出すると１５個の賞球を払い出すようにしている。
【００４０】
また、アクチュエータ（左側アクチュエータ２０ｃ、左側第２アクチュエータ２１ｃ及び右側アクチュエータ２２ｃ）は、次の（１ｂ），（２ｂ），（３ｂ）のように開閉翼（左側開閉翼２０、左側第２開閉翼２１及び右側開閉翼２２）を駆動するようにしている。この第３実施の形態では、入賞通路である左側第２大入賞口２１ａが設けられており、前記左側第２開閉翼２１は左側第２大入賞口２１ａに対応して設けられている。また、左側第２開閉翼２１は左側第２アクチュエータ２１ｃに駆動されるようになっている。図３中、１６は第１支持板１２における左側切欠部１５の下部側に形成された左側第２切欠部である。
【００４１】
（１ｂ）  左側始動口用スイッチ６ａがオンする（遊技球が左側始動口６に入賞する）と、左側アクチュエータ２０ｃは左側開閉翼２０を駆動して、１回開ける。この際に大当りとなった場合、左側開閉翼２０が開放される（５個の賞球）。
（２ｂ）  右側始動口用スイッチ７ａがオンする（遊技球が右側始動口７に入賞する）と、右側アクチュエータ２２ｃは右側開閉翼２２を駆動して、１回開ける。この際に大当りとなった場合、右側開閉翼２２が開放される（１０個の賞球）。
（３ｂ）  中央始動口用スイッチ８ａがオンする（遊技球が中央始動口８に入賞する）と、左側第２アクチュエータ２１ｃは左側第２開閉翼２１を駆動して、１回開ける。この際に大当りとなった場合、左側第２開閉翼２１が開放される（１５個の賞球）。
【００４２】
なお、上述した（１ｂ）〜（３ｂ）において、左側始動口用スイッチ６ａ、右側始動口用スイッチ７ａまたは中央始動口用スイッチ８ａがオンした際に、遊技球がＶゾーン３０に入賞して大当りとなった場合、払出される賞球数は、オン作動した左側始動口用スイッチ６ａ（左側開閉翼２０）、右側始動口用スイッチ７ａ（右側開閉翼２２）または中央始動口用スイッチ８ａ（左側第２開閉翼２１）に応じて異なり、それぞれ５個、１０個、１５個の賞球が払出される。
【００４３】
上述したように構成した第３実施の形態では、左側始動口６、右側始動口７または中央始動口８へ入賞した場合は、それぞれ前記（１ｂ）〜（３ｂ）に示すように左側開閉翼２０、右側開閉翼２２または左側第２開閉翼２１が開放され、その際に対応するカウントスイッチ（左側カウントスイッチ２１ｂ、右側カウントスイッチ２２ｂまたは左側第２カウントスイッチ２１ｂ）が遊技球の通過を検出するとそれぞれ５個、１０個または１５個の賞球を払い出すことになる。
このように左側始動口６、右側始動口７及び中央始動口８のいずれに入賞したかにより、遊技者が獲得を期待できる賞球数が異なっていることから、その分、遊技内容に変化をもたせることができ、遊技性の向上を図ることができる。
【００４４】
また、左側始動口用スイッチ６ａ、右側始動口用スイッチ７ａまたは中央始動口用スイッチ８ａがオンした際に大当り（Ｖゾーン３０への入賞）となった場合、大当り中に払出される賞球数は５個、１０個または１５個としており、同じ大当りでも左側始動口用スイッチ６ａ、右側始動口用スイッチ７ａまたは中央始動口用スイッチ８ａの各々がオンした場合で、獲得出玉が異なるようにしている。このため、大当り時における獲得遊技球数が異なるものとなり、遊技の幅がその分広いものになる。
【００４５】
また、この第３実施の形態では、可変入賞装置５の左側に左側開閉翼２０及び左側第２開閉翼２１を設け、また右側に右側開閉翼２２を設け、可変入賞装置５の左右両側における開閉翼の配置数が異なっているので、遊技領域４の左側及び右側において、遊技球の入賞確率を異なったものにしやすくなり、限られた遊技領域において遊技内容が多様化され、遊技性の向上を図ることができる。
【００４６】
【発明の効果】
請求項１から請求項４までのいずれかに記載の発明によれば、入賞通路に対応する開閉翼のいずれかが開作動した際に当該開閉翼を通して入賞通路に遊技球が入賞可能であり、当該入賞通路に遊技球が入球した場合に賞球の払出しを行い、その賞球数は入賞通路毎に異なるので、遊技内容に変化を持たせることができ、ひいては遊技性の向上を図ることができる。
また、始動入賞口は開閉翼に対応して複数個設けられ、遊技球が入球した始動入賞口に対応する開閉翼が開作動するので、遊技者は、希望する賞球数に対応する開閉翼ひいては始動入賞口を狙って遊技を進めることが可能となり、興趣の向上を図ることができる。
【図面の簡単な説明】
【図１】本発明の第１、第２実施の形態に係るパチンコ機を模式的に示す正面図である。
【図２】図１のパチンコ機に備えられる主制御部及びこれに接続される部材を模式的に示すブロック図である。
【図３】本発明の第３実施の形態に係るパチンコ機を模式的に示す正面図である。
【符号の説明】
１    パチンコ機
５    可変入賞装置
６    左側始動口
７    右側始動口
８    中央始動口
２０  左側開閉翼
２１  左側第２開閉翼
２２  右側開閉翼
【図１】
0004615118.tif 000002
【図２】
0004615118.tif 000003
【図３】
0004615118.tif 000004